(57)【要約】【課題】面状部材の隅部に隙間が形成されるのを防止して、見栄えを向上させるとともに、面状部材を、上下左右いずれの方向にもたるみが生じるのを防止して張設しうるようにしたパネルを提供する。【解決手段】四隅部を切欠いた伸縮性を有する面状部材６の上下左右の端縁に、筒状取付部１９ａを設け、各筒状取付部１９ａに、取付杆２０を、その両端部が筒状取付部１９ａより若干突出するように嵌挿し、かつ面状部材６の隅部において互いに隣接する取付杆２０の突出端部と筒状取付部１９ａの端部とを、コーナー部材２１に設けた、互いにほぼ直交する方向を向く１対の嵌合孔２２に、面状部材６を外方に緊張させるようにして嵌合することにより、該面状部材６を、上下左右の取付杆２０とコーナー部材２１とにより囲まれた矩形枠内に張設する。【選択図】　　　　図１０
2004137734.tif 000002
【特許請求の範囲】
【請求項１】
四隅部を切欠いた伸縮性を有する面状部材の上下左右の端縁に、筒状取付部を設け、各筒状取付部に、取付杆を、その両端部が筒状取付部より若干突出するように嵌挿し、かつ面状部材の隅部において互いに隣接する取付杆の突出端部と筒状取付部の端部とを、コーナー部材に設けた、互いにほぼ直交する方向を向く１対の嵌合孔に、面状部材を外方に緊張させるようにして嵌合することにより、該面状部材を、上下左右の取付杆とコーナー部材とにより囲まれた矩形枠内に張設したことを特徴とするパネル。
【請求項２】
各コーナー部材における面状部材の切欠きと対向する部分に、スリット状の凹溝を設け、この凹溝に面状部材の切欠き近傍部を嵌合してなる請求項１記載のパネル。
【請求項３】
面状部材をメッシュ材により形成するとともに、その上下左右の端部を筒状に折り返して遊端部を固着することにより、筒状取付部を面状部材に一体的に形成した請求項１または２記載のパネル。
【発明の詳細な説明】
【０００１】
【発明の属する技術分野】
本発明は、例えば机の天板の後辺部や側辺部に取付けたり、衝立やパーティションとして用いられる、伸縮性を有する面状部材を張設したパネルに関する。
【０００２】
【従来の技術】
本出願人は、伸縮性を有するシート材の上下左右の端縁に形成した筒状部に係合杆を嵌挿するとともに、互いに隣接する係合杆の端部同士を、Ｌ字形の連結具により連結することにより、シート状のパネルを形成し、このパネルを枠状フレームにより囲まれた内部空間に張設した間仕切装置（間仕切パネル）を案出し、先に特許出願している（特願２００１−３３７４１９号参照）。
【０００３】
また、布状シート材の両側縁に固定された芯材を、開閉可能な挟持部材により保持して、この挟持部材をフレームの左右の縦枠の対向面に止着することにより、仕切り装置（仕切りパネル）を構成したものもある（例えば特許文献１参照）。
【０００４】
【特許文献１】
特開平９−２８７２２４号公報
【０００５】
【発明が解決しようとする課題】
上述した本出願人による先願の間仕切装置において、シート状のパネルは、シート材の上下左右の端縁の両側端及び四隅部に形成された切欠きと、Ｌ字形連結具との対向面間が離間し、隙間が形成されているため、見栄えが悪く、かつ目隠しパネルとして用いる際の目隠し作用も小さい。
【０００６】
上記特許文献１に記載された仕切り装置では、布状シート材の両側縁のみが縦枠にたるみを防止して張設され、上下の端縁は、単に横枠のスリット内に挿入されているだけであるため、シート材の上下方向の張りが小さく、上下の端部にたるみが生じたり、上下の端部に面と直交する方向の外力が加わった際に、横枠のスリットから外れたりする恐れがある。
【０００７】
本発明は、上記問題点に鑑みてなされたもので、面状部材の隅部に隙間が形成されるのを防止して、見栄えを向上させるとともに、面状部材を、上下左右いずれの方向にもたるみが生じるのを防止して張設しうるようにしたパネルを提供することを目的としている。
【０００８】
【課題を解決するための手段】
本発明によると、上記課題は、次のようにして解決される。
（１）　四隅部を切欠いた伸縮性を有する面状部材の上下左右の端縁に、筒状取付部を設け、各筒状取付部に、取付杆を、その両端部が筒状取付部より若干突出するように嵌挿し、かつ面状部材の隅部において互いに隣接する取付杆の突出端部と筒状取付部の端部とを、コーナー部材に設けた、互いにほぼ直交する方向を向く１対の嵌合孔に、面状部材を外方に緊張させるようにして嵌合することにより、該面状部材を、上下左右の取付杆とコーナー部材とにより囲まれた矩形枠内に張設する。
【０００９】
（２）　上記（１）項において、各コーナー部材における面状部材の切欠きと対向する部分に、スリット状の凹溝を設け、この凹溝に面状部材の切欠き近傍部を嵌合する。
【００１０】
（３）　上記（１）または（２）項において、面状部材をメッシュ材により形成するとともに、その上下左右の端部を筒状に折り返して遊端部を固着することにより、筒状取付部を面状部材に一体的に形成する。
【００１１】
【発明の実施の形態】
以下、本発明の実施形態を、図面に基づいて説明する。
図１は、本発明のパネルを備える机の平面図、図２は、同じく正面図を示すもので、平面形が概ね直角三角形をなす机（１）の天板（２）の下面のコーナー部には、下端にキャスタ（３）を有する脚柱（４）が取付けられ、天板（２）を３点で支持している。
【００１２】
天板（２）の後面（以下、図１の紙面下方を前として説明する）と左側面には、矩形枠状をなすフレーム（５）とメッシュ状の面状部材（６）とからなるパネル（７）が、高さ調節可能として取付けられている。
【００１３】
なお、上記両パネル（７）は、大きさが異なるのみで同一構成となっているため、以下の説明は、後方のパネル（７）についてのみ説明する。
【００１４】
また、フレーム（５）と面状部材（６）の四隅も同じ構造であるため、左上方の隅部を例にとって説明する。
図３〜図５に示すように、上記フレーム（５）は、左右１対のパイプ状の縦杆（８）と、縦長の長楕円パイプ状断面の上下１対の横杆（９）と、縦杆（８）と横杆（９）の両端部同士を連結する連結部材（１０）とよりなり、それらの各部材は、アルミニウム合金等の軽量材により形成されている。
【００１５】
各連結部材（１０）の外側面には、フレーム（５）のほぼ対角線方向を向くとともに、フレーム（５）により形成される方形面より離間する後方に若干傾斜させた支持杆（１１）が一体形成されている。
【００１６】
各支持杆（１１）の遊端（外端）には、面状部材（６）の後記するコーナー部材（２１）が取付け可能な円板状の取付部（１１ｂ）が、後向きに突設されている。
【００１７】
また、各連結部材（１０）の垂直をなす基部（１０ａ）の対向面には、縦杆（８）の端部内に嵌合可能な垂直かつ円筒形の突部（１２）と、横杆（９）の端部に嵌合可能な水平かつ縦長楕円形断面の突部（１３）とが、対向状に突設されている。
【００１８】
上記各部材を組付けてフレーム（５）を形成するには、４個の連結部材（１０）の両突部（１２）（１３）に、縦杆（８）と横杆（９）の両端部を嵌合したのち、縦杆（８）は、図４に示すように、基部（１０ａ）に穿設した上下方向を向く挿通孔（１４）に長寸のボルト（１５）を外方より挿入し、その先端を、縦杆（８）の端部の中空孔に圧嵌したナット（１６）に螺合することにより、また横杆（９）は、図５に示すように、突部（１３）に穿設した前後方向を向く左右２個のめねじ孔（１７）に、後方よりねじ（１８）を螺合することにより、それぞれ結合されている。
【００１９】
これにより、図２に示すような横長長方形をなす強固な枠状フレーム（５）が形成され、かつその四隅には、支持杆（１１）がほぼ対角線方向に向かって延出している。
【００２０】
上述した面状部材（６）は、図７〜図１０に示すように、天然繊維又は化学（合成）繊維により網目状に織られ、かつ上下左右の４辺に筒状取付部（１９ａ）が形成された伸縮性を有する長方形のメッシュ材（１９）と、各筒状取付部（１９ａ）内に嵌合された４本のパイプ状の取付杆（２０）と、上下左右の取付杆（２０）の端部同士を連結する４個のコーナー部材（２１）とからなり、メッシュ材（１９）の四隅部には、ほぼ斜め４５°の切欠き（１９ｂ）が形成され、取付杆（２０）の端部同士が筒状取付部（１９ａ）の両端から若干突出するようにしてある。
【００２１】
各コーナー部材（２１）は、正面視ほぼ扇状をなし、上下と左右方向の対向部には、上記取付杆（２０）の筒状取付部（１９ａ）よりの突出端部が若干きつめに嵌合可能な有底の取付孔（２２ａ）と、筒状取付部（１９ａ）の端部が遊嵌可能な、取付孔（２２ａ）よりも若干大径の挿入孔（２２ｂ）とからなる段付孔（２２）が、互いにほぼ直交する方向を向いて対向状に形成されている。
【００２２】
また、各コーナー部材（２１）におけるメッシュ材（１９）の隅部と対向する内端部には、図８及び図１０に示すように、内端が開口するとともに、メッシュ材（１９）の隅部の切欠き（１９ｂ）が斜め４５°方向に向かって挿入可能な幅のスリット状の凹溝（２３）が、両端が両段付孔（２２）の挿入孔（２２ｂ）と連通するように形成されている。
【００２３】
各コーナー部材（２１）の外方の隅部における前後の面には、図６にも示すように、上記支持杆（１１）の取付部（１１ａ）と、後記する締付ワッシャ（２６）とが嵌合可能な円形の凹部（２４）が形成され、両凹部（２４）の中心には、前後方向を向く通孔（２５）が穿設されている。
【００２４】
面状部材（６）を組立てるには、図１０に示すように、メッシュ材（１９）の４辺の各筒状取付部（１９ａ）内に取付杆（２０）を挿入したのち、各取付杆（２０）の両端の突出端部を、コーナー部材（２１）の両取付孔（２２ａ）に嵌合するとともに、筒状取付部（１９ａ）の両端部を、コーナー部材（２１）の挿入孔（２２ｂ）に、メッシュ材（１９）の隅部の切欠き近傍部（１９ｃ）を凹溝（２３）内に差し込むようにして挿入すればよい。
これにより、メッシュ材（１９）は、上下左右の４本の取付杆（２０）とコーナー部材（２１）とにより囲まれた矩形枠内に簡単に張設される。
【００２５】
上記組立作業は、メッシュ材（１９）を外方に強く引っ張りながら行われ、組立後において、メッシュ材（１９）には張力が働くため、それにたるみが生じることはなく、かつ取付杆（２０）の両端部がコーナー部材（２１）より簡単に外れる恐れもない。
【００２６】
また、メッシュ材（１９）の四隅部は、コーナー部材（２１）の凹溝（２３）内に収容されており、コーナー部材（２１）との間に隙間が形成されたり、外部に露呈しないので、見栄えが向上する。
【００２７】
組立後の面状部材（６）に前述したフレーム（５）を取付けて、パネル（７）を形成するには、図３及び図６に示すように、フレーム（５）の四隅における各支持杆（１１）の遊端の取付部（１１ａ）を、面状部材（６）における各コーナー部材（２１）の前面側の凹部（２４）に嵌合したのち、後面側の凹部（２４）に厚肉の締付ワッシャ（２６）を嵌合し、該締付ワッシャ（２６）の後方より挿入したボルト（２７）を、コーナー部材（２１）の通孔（２５）に挿通して支持杆（１１）の取付部（１１ａ）の有底のめねじ孔（２８）に螺合することにより、図１及び図２に示すように、面状部材（６）の四隅が、それよりも小さなフレーム（５）の４個の支持杆（１１）の遊端により４点で支持され、かつフレーム（５）と面状部材（６）間に隙間を有するパネル（７）が形成される。
パネル（７）の組立後において、フレーム（５）は外方より見えないので、見栄えが向上する。
【００２８】
また、枠状のフレーム（５）の四隅より支持杆（１１）を対角線方向に延出し、その遊端により面状部材（６）を支持しているので、枠状フレーム（５）の大きさを必要最小限として、上下左右寸法の大きな面状部材（６）を取付けることができ、フレーム（５）を小型軽量化することができる。
【００２９】
上記パネル（７）は、天板（２）に次のようにして取付けられている。
図１１〜図１３に示すように（机の後面側のパネルの取付例を示す）、フレーム（５）における左右の縦杆（８）（左右対称につき、右方のみ図示する）の下端部寄りには、縦長のパネル支持部材（２９）が上下に摺動可能として嵌合され、その前面の外側部に前向き突設された取付片（２９ａ）の内側面には、側面視直角三角形をなす２枚合わせのブラケット（３０）の垂直板状をなす後端部が、ねじ（３１）により前向きとして固着されている。
【００３０】
ブラケット（３０）の上端の水平をなす支持片（３０ａ）は、天板（２）の後端部下面に固着された補強板（３２）にねじ（３１）により固定されている。
【００３１】
パネル支持部材（２９）の外側面には、上下２個の弾圧保持手段（３３）と、その中間に、停止手段（３４）とが設けられている。
【００３２】
弾圧保持手段（３３）は、パネル支持部材（２９）に穿設された保持孔（３５）内に左右方向に摺動可能に収容され、かつ先端の丸頭部が、縦杆（８）に向かって出没しうるようにした押圧ピン（３６）と、同じく押圧ピン（３６）の外方の保持孔（３５）内に縮設され、押圧ピン（３６）を常時縦杆（８）に向かって付勢する圧縮コイルばね（３７）とからなっている。
【００３３】
（３８）は、保持孔（３５）の開口部を閉塞する閉塞板である。
上記押圧ピン（３６）の先端の丸頭部は、縦杆（８）の外側面に等間隔おきに形成された半円弧状の複数の係合溝（３９）に選択的に係合しうるようになっている。
【００３４】
停止手段（３４）は、パネル支持部材（２９）の厚肉部に形成した縦長矩形をなす凹部（４０）の奥面中央部に穿設された保持孔（４１）内に左右方向に摺動可能に収容され、かつ先端の丸頭部が縦杆（８）に向かって進退する停止ピン（４２）と、その内方の保持孔（４１）に収容され、停止ピン（４２）を常時縦杆（８）より離間する外方に向かって付勢する圧縮コイルばね（３７）と、凹部（４０）内に前後方向を向く支持ピン（４３）を中心として左右方向に回動しうるように枢着されて収容され、内面中央部に停止ピン（４２）の外側面を押動可能な水平かつ先細り状の押圧片（４４ａ）を備える操作レバー（４４）とからなっている。
【００３５】
上記上下の弾圧保持手段（３３）、停止手段（３４）及び縦杆（８）に形成された係合溝（３９）により、パネル（７）の高さ調整手段を構成している。
【００３６】
図１３に示すように、操作レバー（４４）が凹部（４０）内においてほぼ垂直をなすロック位置では、押圧片（４４ａ）が左右方向を向いて停止ピン（４２）の外側面を押圧することにより、その丸頭部は縦杆（８）側に突出し、上下の押圧ピン（３６）の間の係合溝（３９）に突入するようになっている。
【００３７】
従って、パネル支持部材（２９）すなわちブラケット（３０）に対し、パネル（７）の上下方向の移動は確実に防止される。
【００３８】
一方、図１４に示すように、操作レバー（４４）を例えば上向きに回動させ、ロック解除位置とすると、押圧片（４４ａ）が下向きに回動してその先端が停止ピン（４２）により遠ざかることにより、停止ピン（４２）は圧縮コイルばね（３７）により外方に移動させられ、丸頭部が係合溝（３９）より離脱する。
【００３９】
従って、縦杆（８）又はパネル（７）全体を強く上下方向に動かせば弾圧保持手段（３３）の押圧ピン（３６）が係合溝（３９）より離脱し、別の係合溝（３９）に自動的に突入して係合することにより、パネル（７）の高さを係合溝（３９）の数だけ段階的に調節することができる。高さ調節後において操作レバー（４４）を図１３の状態まで回動させれば、パネル（７）はその位置で停止保持される。
【００４０】
なお、操作レバー（４４）が図１３のロック位置で妄りに回動しないように、押圧片（４４ａ）の先端面を垂直な平削面とするか、もしくは停止ピン（４２）の外側面の中央部を若干凹ませてもよい。
停止手段（３４）は、パネル（７）の大きさや重量等により、左右のパネル支持部材（２９）のいずれか一方にのみ設けることもある。
また、弾圧保持手段（３３）の押圧ピン（３６）の代わりに、ボール（鋼球）を用いることもできる。
【００４１】
このようにして、パネル（７）を机（１）の天板（２）に取付けると、面状部材（６）は、後向きに傾斜させた支持杆（１１）の遊端により、フレーム（５）の後方に離間して支持されているので、面状部材（６）の天板（２）の後端（または側端）よりの離間寸法が大となり、天板（２）の周囲に大きな空間が形成されることにより、パネル（７）による圧迫感がなくなる。
【００４２】
また、天板（２）の後端部（または側端部）にＯＡ機器のディスプレイ等を載置した際に、これを天板（２）の後方（または側方）に大きく突出させることができるため、天板（２）の上面を有効に使用することが可能となる。
【００４３】
さらに、フレーム（５）と面状部材（６）とは離間しているため、フレーム（５）の縦杆（８）の外周面全体をパネル支持部材（２９）により抱くように保持することができ、パネル（７）は、天板（２）により強固にかつ安定的に支持される。
【００４４】
上記実施形態では、支持杆（１１）を、フレーム（５）のほぼ対角線方向に向かって延出させ、上下及び左右寸法の大きな面状部材（６）を支持しうるようにしているが、支持杆（１１）の延出方向は、上下寸法の大きな面状部材を用いるときには、上下方向に、また左右寸法の大きな面状部材を用いるときには左右方向に、それぞれ延出させることもある。
【００４５】
また、フレーム（５）と面状部材（６）とを離間させるために、支持杆（１１）全体を基部を中心として後向きに傾斜させているが、面状部材（６）が取付けられる遊端部のみを後向き（机の側方のパネルについては外側方）に折曲させるようにしてもよい。
【００４６】
パネル支持部材（２９）の上下移動を防止する手段は、上述のような停止手段（３４）に代えて、パネル支持部材（２９）に、縦杆（８）に向かって貫通するめねじ孔を穿設するとともに、このめねじ孔に、操作つまみを有する締付ボルトを螺合し、操作つまみを回動させて締付ボルトの先端を縦杆（８）の外周面に圧接させることにより、パネル支持部材（２９）の上下移動を防止するようにしてもよい。
【００４７】
上記実施形態では、フレーム（５）を支持するブラケット（３０）を天板（２）の下面に固着しているが、脚柱（４）に取付けることもある。
【００４８】
メッシュ状の面状部材（６）の代わりに、クロス等の面状部材を用いることもある。
【００４９】
【発明の効果】
請求項１記載の発明によれば、面状部材の上下左右の筒状取付部の両端部が、取付杆と共にコーナー部材の嵌合孔に嵌合されているので、少なくとも筒状取付部の端部とコーナー部材との間には隙間が形成されず、隅部の見栄えが向上する。
また、面状部材は、上下左右の取付杆とコーナー部材とにより囲まれた矩形枠内に張設されているので、上下左右いずれの方向にもたるみが生じるのが防止される。
【００５０】
請求項２記載の発明によれば、面状部材の四隅の切欠き近傍部も、コーナー部材の凹溝に嵌合されているので、面状部材の隅部とコーナー部材との間に隙間が形成されるのが完全に防止され、見栄えがより向上する。
また、目隠しパネルとして用いる際の目隠し作用も大きくなる。
【００５１】
請求項３記載の発明によれば、軽量で、かつ閉塞感の小さいパネルを提供しうるとともに、筒状取付部を別途取付けることなく、簡単に形成することができる。
【図面の簡単な説明】
【図１】本発明のパネルを備える机の平面図である。
【図２】同じく、正面図である。
【図３】パネルの左上方の隅部の拡大正面図である。
【図４】図３のＩＶ−ＩＶ線の拡大縦断側面図である。
【図５】フレーム組立後における図３のＶ−Ｖ線の拡大縦断側面図である。
【図６】図３のＶＩ−ＶＩ線の拡大縦断側面図である。
【図７】面状部材組立て前の左上方隅部の正面図である。
【図８】図７のＶＩＩＩ−ＶＩＩＩ線の縦断面図である。
【図９】図７のＩＸ−ＩＸ線の拡大縦断面図である。
【図１０】面状部材の左上方隅部を、一部を縦断して示す正面図である。
【図１１】パネル取付部の拡大側面図である。
【図１２】図１１のＸＩＩ−ＸＩＩ線の横断平面図である。
【図１３】同じく、図１１のＸＩＩＩ−ＸＩＩＩ線の拡大縦断正面図である。
【図１４】同じく、停止手段のロックを解除したときの図１３と同部位の拡大縦断正面図である。
【符号の説明】
（１）机
（２）天板
（３）キャスタ
（４）脚柱
（５）フレーム
（６）面状部材
（７）パネル
（８）縦杆
（９）横杆
（１０）連結部材
（１０ａ）基部
（１１）支持杆
（１１ａ）取付部
（１１ｂ）小径突部
（１２）（１３）突部
（１４）挿通孔
（１５）ボルト
（１６）ナット
（１７）めねじ孔
（１８）ねじ
（１９）メッシュ材
（１９ａ）筒状取付部
（１９ｂ）切欠き
（１９ｃ）切欠き近傍部
（２０）取付杆
（２１）コーナー部材
（２２）段付孔（嵌合孔）
（２２ａ）取付孔
（２２ｂ）挿入孔
（２３）凹溝
（２４）凹部
（２５）通孔
（２６）締付ワッシャ
（２７）ボルト
（２８）めねじ孔
（２９）パネル支持部材
（２９ａ）取付片
（３０）ブラケット
（３０ａ）支持片
（３１）ねじ
（３２）補強板
（３３）弾圧保持手段
（３４）停止手段
（３５）保持孔
（３６）押圧ピン
（３７）圧縮コイルばね
（３８）閉塞板
（３９）係合溝
（４０）凹部
（４１）保持孔
（４２）停止ピン
（４３）支持ピン
（４４）操作レバー
（４４ａ）押圧片
【図１】
2004137734.tif 000003
【図２】
2004137734.tif 000004
【図３】
2004137734.tif 000005
【図４】
2004137734.tif 000006
【図５】
2004137734.tif 000007
【図６】
2004137734.tif 000008
【図７】
2004137734.tif 000009
【図８】
2004137734.tif 000010
【図９】
2004137734.tif 000011
【図１０】
2004137734.tif 000012
【図１１】
2004137734.tif 000013
【図１２】
2004137734.tif 000014
【図１３】
2004137734.tif 000015
【図１４】
2004137734.tif 000016